(57)【要約】      （修正有）【課題】作業の障害にならず、かつ、高い熱中症対策効果が得られる装着具を提供する。【解決手段】作業用手袋１の甲相当部分外側にポケット２が設けられている。ポケット２には開口部が設けられている。開口部を介して保冷剤４が保持される。ポケット２は伸縮性ある素材で構成されていると保冷剤４の保持が容易である。保冷剤４は、弁当等の保冷用として市販されるものを冷凍して用いる。ポケット２内側には防水層５が設けられている。作業用手袋１の甲相当部分には、適度に炭素繊維６が編み込まれている。【選択図】図４
0003194348.tif 000002
【実用新案登録請求の範囲】
【請求項１】
手または足の甲相当部分にポケットを有することを特徴とする装着具。
【請求項２】
手または足の甲相当部分外側にポケットを有することを特徴とする装着具。
【請求項３】
前記甲相当部分に熱伝導手段が設けられていることを特徴とする請求項１または２記載の装着具。
【請求項４】
前記ポケットには保冷剤が保持されてなることを特徴とする請求項１〜３いずれか記載の装着具。
【考案の詳細な説明】
【技術分野】
【０００１】
本考案は手袋または靴下である装着具に関する。
【背景技術】
【０００２】
近年、熱中症の被害が深刻である。夏期に屋外作業をする場合だけでなく、屋内であっても高温、多湿、風通しが悪い工場内作業をする場合でも熱中症のおそれがある。
【０００３】
濡れタオル等を首に巻き、こまめに水分補給することが、一般的な熱中症対策である。濡れタオルに代わる保冷バンドも提案されている（例えば特許文献１）。
【先行技術文献】
【特許文献】
【０００４】
【特許文献１】実用新案登録第３１４８５２５号
【考案の概要】
【考案が解決しようとする課題】
【０００５】
考案人は、屋外作業をする人たちを長年観察してきた。その結果、首の冷却手段は、作業の障害になる（作業自体に対するメリットはない）だけでなく、熱中症対策の効果も弱いのではないか？との結論に至った。
【０００６】
本考案は上記課題を解決するものであり、作業の障害にならず、かつ、高い熱中症対策効果が得られる装着具を提供することを目的とする。
【課題を解決するための手段】
【０００７】
上記課題を解決する本考案は、手または足の甲相当部分にポケットを有することを特徴とする装着具である。
【０００８】
上記課題を解決する本考案は、手または足の甲相当部分外側にポケットを有することを特徴とする装着具である。
【０００９】
上記課題を解決する本考案は、甲相当部分にポケットを有することを特徴とする手袋である。
【００１０】
上記課題を解決する本考案は、甲相当部分外側にポケットを有することを特徴とする手袋である。
【００１１】
上記課題を解決する本考案は、甲相当部分にポケットを有することを特徴とする靴下である。
【００１２】
上記課題を解決する本考案は、甲相当部分外側にポケットを有することを特徴とする靴下である。
【００１３】
好ましくは、前記甲相当部分に熱伝導手段が設けられている。
【００１４】
好ましくは、前記熱伝導手段は、手袋に編み込まれた炭素繊維である。
【００１５】
好ましくは、前記ポケットには保冷剤が保持されてなる。
【００１６】
好ましくは、前記ポケット内側には防水層が設けられている。
【考案の効果】
【００１７】
本考案の装着具（手袋または靴下）は、作業の障害にならず、かつ、高い熱中症対策効果が得られる。
【図面の簡単な説明】
【００１８】
【図１】人体の血管と神経
【図２】手袋概要（第１実施形態）
【図３】手袋概要（第１実施形態）
【図４】保持機構（ポケット）の詳細断面図
【図５】靴下概要（第２実施形態）
【考案を実施するための形態】
【００１９】
＜概要＞
図１に人体の血管と神経の概要を示す。
【００２０】
首は、心臓とも脳とも近い。多くの神経と太い血管が走っている。首を冷やすことで、即効性もあり、冷却感を実感しやすい。したがって、一般的な熱中症対策として、首の冷却が行われている。
【００２１】
しかしながら、考案者は長年の観察から、首の冷却では思うような冷却効果が得られないのでは？と考えるようになった。すなわち、首の冷却は、いわば短期集中的、直接的な冷却であり、全身から見るとムラがある冷却である。急激な冷却はむしろ体の負担になっている。熱中症になった場合の緊急措置には適しているが、継続的な作業における熱中症予防対策には適していない。
【００２２】
ところで、手および足は人体の末端であり、手や足の神経や血管は全身につながっている。手や足を漸次継続的に冷却し、血管や神経を介して、間接的に全身を万遍なく冷却した方が、体の負担は少なく、継続的な作業における熱中症予防対策には適している。考案者は以上の様な結論に至った。
【００２３】
本願発明は、上記施術思想を技術思想に昇華させたものである。下記実施形態は、本願技術思想を具現化させたものである。
【００２４】
＜第１実施形態＞
〜構成〜
図２および図３に第１実施形態を示す。第１実施形態は本発明を手袋に適用したものである。
【００２５】
作業用手袋１はいわゆる軍手と呼ばれる伸縮性に富む編手袋が一般的であるが、これに限定されない。図２、３では、作図の簡略化のため、編目の表示を省略している。
【００２６】
作業用手袋１の甲相当部分外側にポケット２が設けられている。ポケット２には開口部３が設けられている。
【００２７】
図４は、保持機構（ポケット）の詳細断面図である。開口部３を介して保冷剤４が保持される。ポケット２は伸縮性ある素材で構成されていると保冷剤４の保持が容易である。
【００２８】
保冷剤４は、弁当等の保冷用として市販されるものを冷凍して用いる。
【００２９】
ポケット２内側には防水層５が設けられている。これにより、凍結した保冷剤による結露により、作業用手袋１内が濡れることを防止する。
【００３０】
作業用手袋１の甲相当部分には、適度に炭素繊維６が編み込まれている。炭素繊維は作業用手袋１で使用されている材料（綿や化繊など）より高い熱伝導率を有する。これにより、保冷剤の冷熱は、外気側には伝達せず、炭素繊維６を介して手の甲に伝達される。
【００３１】
炭素繊維６の編み込み量を調節して、冷熱の伝達量を調節できる。
【００３２】
〜効果〜
冷却材保持手段に作業用手袋を利用しているため、作業の支障になることはない。とくに、ポケットを甲側に設けているため、把持動作の支障となることはない。
【００３３】
ポケットを手袋の外側に設けているため、保冷剤の交換が容易である。
【００３４】
ポケットを手袋の外側に設けているため、過剰な冷却を防止できる。すなわち「末端の漸次継続的冷却による間接的万遍的な全身冷却」という施術思想を実現できる。
【００３５】
炭素繊維６の編み込み量を調節することで、冷熱を手の甲に確実に伝達させるとともに、過剰な冷却を防止する。
【００３６】
〜変形例〜
第１実施形態は、本発明の一形態であり、種々の変形が可能である。
【００３７】
ポケット２を甲相当部分内側に設けても良いが、上記効果の観点から、ポケット２を甲相当部分外側に設けることが好ましい。
【００３８】
上記熱伝導手段がなくとも、適量の冷熱伝達が可能な場合には、熱伝導手段は不要である。
【００３９】
上記熱伝導手段の一例として炭素繊維を挙げたが、グロメット（ハトメ）等の金属を取り付けても良い。
【００４０】
ポケット２内側には防水層５を設けているが、結露による水滴が手に伝達し、気化熱効果を期待する場合は、防水層５は不要である。
【００４１】
本実施形態では、熱中症予防対策として保冷剤を保持することを前提とするが、寒冷地対策として発熱カイロを保持してもよい。
【００４２】
＜第２実施形態＞
〜構成〜
図５に第２実施形態を示す。第２実施形態は本発明を靴下に適用したものである。
【００４３】
靴下１１の甲相当部分外側にポケット１２が設けられている。ポケット１２には開口部１３が設けられている。開口部１３を介して保冷剤４が保持される。ポケット１２は伸縮性ある素材で構成されていると保冷剤４の保持が容易である。
【００４４】
ポケット１２を甲相当部分内側に設けても良いが、ポケット1２を甲相当部分外側に設けることで、保冷剤の交換が容易となり、かつ、過剰な冷却を防止できる。
【００４５】
適量の冷熱伝達が可能な場合には、熱伝導手段は不要であるが、そうでない場合、熱伝導手段の量を調節して、冷熱の伝達量を調節できる。これにより、確実な熱伝達と過剰冷却防止を両立できる。
【００４６】
熱伝達手段１６として、炭素繊維やグロメット等の金属が挙げられる。
【００４７】
ポケット１２内側には防水層１５を設けてもよい。これにより、凍結した保冷剤による結露により、靴下１１内が濡れることを防止する。積極的に靴下を濡らして気化熱効果を期待する場合には、防水層１５は不要である。
【００４８】
本実施形態では、熱中症予防対策として保冷剤を保持することを前提とするが、寒冷地対策として発熱カイロを保持してもよい。
【符号の説明】
【００４９】
１  作業用手袋
２  ポケット
３  ポケット開口部
４  保冷剤
５  防水層
６  炭素繊維
１１  靴下
１２  ポケット
１３  ポケット開口部
１５  防水層
１６  炭素繊維
【図１】
0003194348.tif 000003
【図２】
0003194348.tif 000004
【図３】
0003194348.tif 000005
【図４】
0003194348.tif 000006
【図５】
0003194348.tif 000007